(57)【要約】【目的】  使用時の熱エネルギーのさらなる有効利用が可能で、利用価値を一層向上させたサニタリールーム空調装置を提供する。【構成】  蓄冷蓄熱式のサニタリールーム空調装置（１）であって、不使用時に蓄冷蓄熱部（２）に対して熱エネルギーを充填し、使用時に送風ファン（３）のみを動作させて蓄冷蓄熱部（２）を通して冷暖房を行うようになっており、且つ、前記蓄冷蓄熱部（２）から放出する熱エネルギーによって冷蔵温蔵可能な収納部（４）を有している。【選択図】図１
2005180854.tif 000002
【特許請求の範囲】
【請求項１】
蓄冷蓄熱式のサニタリールーム空調装置であって、不使用時に熱エネルギーが充填され、使用時に送風ファンからの風を通して冷風温風とする蓄冷蓄熱部を有しており、且つ、この蓄冷蓄熱部から放出する熱エネルギーによって冷蔵温蔵可能な収納部を有していることを特徴とするサニタリールーム空調装置。
【請求項２】
隣り合うサニタリールーム間の隔壁に設置され、前記使用時に両方のサニタリールームへ冷風温風を送風可能となっていることを特徴とする請求項１記載のサニタリールーム空調装置。
【請求項３】
隣り合うサニタリールーム間の隔壁に設置され、前記冷蔵温蔵可能な収納部が両方のサニタリールームから使用可能となっていることを特徴とする請求項１または２記載のサニタリールーム空調装置。
【請求項４】
冷風および温風の切換スイッチが設けられていることを特徴とする請求項１ないし３のいずれかに記載のサニタリールーム空調装置。
【請求項５】
蓄冷式のサニタリールーム空調装置であって、不使用時に熱エネルギーが充填され、使用時に送風ファンからの風を通して冷風とする蓄冷部を有しており、且つ、この蓄冷部から放出する熱エネルギーによって冷蔵可能な収納部を有していることを特徴とするサニタリールーム空調装置。
【請求項６】
隣り合うサニタリールーム間の隔壁に設置され、前記使用時に両方のサニタリールームへ冷風を送風可能となっていることを特徴とする請求項５記載のサニタリールーム空調装置。
【請求項７】
隣り合うサニタリールーム間の隔壁に設置され、前記冷蔵可能な収納部が両方のサニタリールームから使用可能となっていることを特徴とする請求項５または６記載のサニタリールーム空調装置。
【請求項８】
蓄熱式のサニタリールーム空調装置であって、不使用時に熱エネルギーが充填され、使用時に送風ファンからの風を通して温風とする蓄熱部を有しており、且つ、この蓄熱部から放出する熱エネルギーによって温蔵可能な収納部を有していることを特徴とするサニタリールーム空調装置。
【請求項９】
隣り合うサニタリールーム間の隔壁に設置され、前記使用時に両方のサニタリールームへ温風を送風可能となっていることを特徴とする請求項８記載のサニタリールーム空調装置。
【請求項１０】
隣り合うサニタリールーム間の隔壁に設置され、前記温蔵可能な収納部が両方のサニタリールームから使用可能となっていることを特徴とする請求項８または９記載のサニタリールーム空調装置。
【発明の詳細な説明】
【背景技術】
【０００１】
従来、サニタリールーム空調装置としては、サニタリールーム全体の空調を行うものと、サニタリールーム内にて人体にスポット的に風を吹きつけるもの（たとえば特許文献１参照）とが知られている。
【０００２】
前者については、室温検知して設定温度に維持することで快適な空間を提供するものである。後者については、温度制御は行わず、空調能力に応じて空調空気を直接人体に浴びせることで空調感を与えようとするもので、たとえば冷房時には冷風を人体に浴びせて涼感を与えさせ、暖房時には温風を人体に浴びせて暖感を与える。
【０００３】
これらいずれの空調装置においても、コンプレッサーを用いて熱交換を行う方式がしばしば採用されている。
【特許文献１】特開２００１−３０４６５４号公報
【発明の開示】
【発明が解決しようとする課題】
【０００４】
しかしながら、上記サニタリールーム空調装置では、使用時つまり空調時にコンプレッサーを稼動するため、立ち上がりに時間がかかるといった問題や、騒音振動の面でも問題があった。
【０００５】
また、使用時に熱交換を行うため、そのときに得た熱エネルギーを全て使うことで最大の空調能力を出すようになっており、他の用途へのエネルギーの転用については考慮されておらず、専ら空調装置として使用されるだけであるので、実際にサニタリールーム内で使用される時間、頻度を考えると、利用価値はあまり高いとはいえないのが現状であった。
【０００６】
そこで、以上のとおりの事情に鑑み、この出願の発明は、使用時の熱エネルギーのさらなる有効利用が可能で、利用価値を一層向上させたサニタリールーム空調装置を提供することを課題としている。
【課題を解決するための手段】
【０００７】
この出願の発明は、上記の課題を解決するものとして、第１には、蓄冷蓄熱式のサニタリールーム空調装置であって、不使用時に熱エネルギーが充填され、使用時に送風ファンからの風を通して冷風温風とする蓄冷蓄熱部を有しており、且つ、この蓄冷蓄熱部から放出する熱エネルギーによって冷蔵温蔵可能な収納部を有していることを特徴とするサニタリールーム空調装置を提供する。
【０００８】
第２には、隣り合うサニタリールーム間の隔壁に設置され、前記使用時に両方のサニタリールームへ冷風温風を送風可能となっていることを特徴とする前記サニタリールーム空調装置を提供する。
【０００９】
第３には、隣り合うサニタリールーム間の隔壁に設置され、前記冷蔵温蔵可能な収納部が両方のサニタリールームから使用可能となっていることを特徴とする前記サニタリールーム空調装置を提供する。
【００１０】
第４には、冷房および暖房の切換えスイッチが設けられていることを特徴とする前記サニタリールーム空調装置を提供する。
【００１１】
第５には、蓄冷式のサニタリールーム空調装置であって、不使用時に熱エネルギーが充填され、使用時に送風ファンからの風を通して冷風とする蓄冷部を有しており、且つ、この蓄冷部から放出する熱エネルギーによって冷蔵可能な収納部を有していることを特徴とするサニタリールーム空調装置を提供する。
【００１２】
第６には、隣り合うサニタリールーム間の隔壁に設置され、前記使用時に両方のサニタリールームへ冷風を送風可能となっていることを特徴とする前記サニタリールーム空調装置を提供する。
【００１３】
第７には、隣り合うサニタリールーム間の隔壁に設置され、前記冷蔵可能な収納部が両方のサニタリールームから使用可能となっていることを特徴とする前記サニタリールーム空調装置を提供する。
【００１４】
第８には、蓄熱式のサニタリールーム空調装置であって、不使用時に熱エネルギーが充填され、使用時に送風ファンからの風を通して温風とする蓄熱部を有しており、且つ、この蓄熱部から放出する熱エネルギーによって温蔵可能な収納部を有していることを特徴とするサニタリールーム空調装置を提供する。
【００１５】
第９には、隣り合うサニタリールーム間の隔壁に設置され、前記使用時に両方のサニタリールームへ温風を送風可能となっていることを特徴とする前記サニタリールーム空調装置を提供する。
【００１６】
第１０には、隣り合うサニタリールーム間の隔壁に設置され、前記温蔵可能な収納部が両方のサニタリールームから使用可能となっていることを特徴とする前記サニタリールーム空調装置を提供する。
【発明の効果】
【００１７】
上記第１のサニタリールーム空調装置によれば、蓄冷蓄熱式であって且つ送風ファンのみの動作で冷暖房空気を得ることができるため、立ち上がり即効性に優れ、動作音も抑制された冷暖房空調を実現でき、そしてさらに、蓄冷蓄熱部に蓄えられた熱エネルギーを利用して冷温蔵可能な収納部を併設することができるため、熱エネルギーのさらなる有効利用を実現し、高い利用価値を付与できる。
【００１８】
上記第２のサニタリールーム空調装置によれば、上記第１の空調装置と同様な効果が得られ、また、隔壁を挟んで両側のサニタリールームにて冷温風を得ることができ、より高い利用価値を実現できる。
【００１９】
上記第３のサニタリールーム空調装置によれば、上記第１および第２の装置と同様な効果が得られ、また、隔壁を挟んで両側のサニタリールームにて冷温蔵庫としての収納部を確保でき、さらに一層高い利用価値を実現できる。
【００２０】
上記第４のサニタリールーム空調装置によれば、上記第１〜第３の空調装置と同様な効果が得られ、またさらに、冷暖房をサニタリールーム使用者が簡単に切り換えられるようになり、利便性を向上できる。
【００２１】
上記第５〜第７のサニタリールーム空調装置によれば、上記第１〜第３の空調装置と同様な効果が得られる蓄冷式のサニタリールーム空調装置を実現することができる。
【００２２】
上記第８〜第１０のサニタリールーム空調装置によれば、上記第１〜第３の空調装置と同様な効果が得られる蓄熱式のサニタリールーム空調装置を実現することができる。
【発明を実施するための最良の形態】
【００２３】
図１は、上述したとおりの特徴を有するこの出願の発明の一実施形態を示したものである。
【００２４】
この図１の実施形態では、サニタリールーム空調装置（１）は、蓄冷蓄熱式つまり蓄冷および蓄熱の複合式のものであり、不使用時に熱エネルギーが充填され、使用時に送風ファン（３）からの風を通して冷風温風とする蓄冷蓄熱部（２）を有しており、そしてさらに、蓄冷蓄熱部（２）から放出する熱エネルギーによって冷蔵温蔵可能な収納部（４）をも有している。
【００２５】
より具体的には、まず、蓄冷蓄熱部（２）は蓄冷部（２１）および蓄熱部（２２）に分けて構成されており、冷暖房空調を行わない不使用時には、それぞれに対して必要な熱エネルギーを熱交換部（６）により充填し、冷暖房空調を行う使用時には、送風ファン（３）のみを動作させ、発生する風を蓄冷部（２１）を通すことで冷風、または蓄熱部（２２）を通すことで温風にして、吹出し口（図示なし）からサニタリールーム内へ吹き出させる。図中の（７）は吸気口、（８）は排熱ファン、（９）は排熱口であり、熱交換部（６）による熱交換時などに使用され、たとえば排熱は天井や床下に排出される。
【００２６】
続いて、収納部（４）については、上記蓄冷部（２１）に近接された冷蔵収納部（４１）および上記蓄熱部（２２）に近接された温蔵収納部（４２）に分けられており、それぞれ、蓄冷部（２１）および蓄熱部（２２）に蓄えられた熱エネルギーによって庫内が冷やされまたは暖められて冷蔵庫および温蔵庫として機能するようになっている。
【００２７】
以上のサニタリールーム空調装置（１）によれば、蓄冷蓄熱式であって且つ送風ファン（３）のみの動作で冷暖房空気が得られるため、立ち上がり即効性に優れ、動作音も抑制された冷暖房を実現することができる。この冷暖房はサニタリールーム内のスポット的使用に対して特に効果的であるといえる。そして、蓄冷蓄熱部（２）に蓄えられた熱エネルギーを、冷暖房空調のためだけでなく、冷温蔵庫としての収納部（４）にも利用できるため、装置全体の利用価値をより向上させることができる。
【００２８】
上記冷暖房空調の冷房／暖房切換えについては、たとえば、送風ファン（３）と蓄冷蓄熱部（２）の開口部（図示なし）との間に断熱性を有する切換弁（５）を設け、この切換弁（５）を操作することで、冷風が欲しい場合には蓄熱部（２２）の開口部またはそれへの風路を遮蔽して、送風ファン（３）からの送風を蓄冷部（２１）へ導き、温風が欲しい場合には蓄冷部（２１）の開口部またはそれへの風路を遮蔽して、送風を蓄熱部（２２）へ導くようにすればよい。もちろん切換弁（５）は、たとえば切換スイッチ（後述の図２における切換スイッチ（１１）参照）を適宜箇所に設けておくことで、サニタリールーム使用者によるスイッチ操作で簡単に切り換えることができ、よって冷風／温風の切換えつまり冷暖房の切換えを簡単に行うことができる。
【００２９】
なお、たとえば、風路の切換えは、ダンパー等の電磁機構によるもの、手動による弁機構によるものなども考慮でき、冷暖房の切換えは、コンプレッサー式であれば熱交換サイクルの正転反転により行うことができ、ペルチェ式であればペルチェ素子の放熱面および吸熱面を蓄熱材に熱的に結合させることで同時に実施できる。それぞれには温度検知センサが搭載され、庫内の温度、風温を測定することで、設定温度となるようにフィードバック制御を行うようにしてもよい。
【００３０】
また、たとえばペルチェ式の場合では、蓄冷および蓄熱が同時に可能となり、過剰に温度差を生じた際には適宜装置外大気への開放により温度調整することによって、必要に応じた温度で物を保存できる収納部（４）を実現できる。
【００３１】
ところで、以上のサニタリールーム空調装置（１）については、たとえば図２に例示したように、隣り合うサニタリールーム間の隔壁（１０）に設置され、上記空調使用時に両方のサニタリールームへ冷風温風を送風可能とした実施形態も採用できる。
【００３２】
より具体的には、図２の実施形態では、上述したとおりの蓄冷蓄熱部（２）（図１参照）を通る送風の吹出し口を、サニタリールーム空調装置（１）本体の両面に配設している。図中、Ａ室側冷温風口（２０ａ）およびＢ室側冷温風口（２０ｂ）が各部屋の吹出し口であり、各部屋の使用者へ冷温風を当てて涼感／暖感を与えることのできるスポット冷暖房用の吹出し口としても機能する。
【００３３】
これによれば、隔壁（１０）を挟んで両方のサニタリールーム、たとえば一方がトイレルーム、他方がそれに隣接した洗面室・脱衣室など、に対して冷温風を得ることができ、一つのサニタリールームのみに対応した空調装置と比べてより高い利用価値を与えることができる。冷風および温風の切換えは、隔壁（１０）の両面つまり双方のサニタリールームの壁面における適宜位置に設置した切換スイッチ（１１）（図中Ａ室側のみ図示）により行える。
【００３４】
またさらに、上記収納部（４）についても、隔壁（１０）を間にして隣接する両方のサニタリールームから使用可能なものとした実施形態も可能である。
【００３５】
より具体的には、図２の実施形態では、上述したとおりの冷蔵収納部（４１）および温蔵収納部（４２）それぞれの取出口を、サニタリールーム空調装置（１）本体の両面に配設している。図中、Ａ室側取出口（４１ａ）およびＢ室側取出口（４１ｂ）が各部屋からの冷蔵収納部（４１）の取出口、Ａ室側取出口（４２ａ）およびＢ室側取出口（４２ｂ）が各部屋からの温蔵収納部（４２）の取出口である。
【００３６】
これによれば、隔壁（１０）を挟んで両方のサニタリールームにて利用可能な冷蔵庫および温蔵庫を確保でき、さらに一層高い利用価値を与えることができる。両部屋からの冷暖房および冷温蔵の共有が可能となるのである。
【００３７】
もちろん、以上のとおりのサニタリールーム空調装置（１）は、蓄冷式の冷房空調のみまたは蓄熱式の暖房空調のみを行うものとすることも可能であり、蓄冷蓄熱式と同様に、収納部を設けたり、隣接サニタリールームの双方を対象としたりすることで、熱エネルギーの有効活用による高い利用価値を持つ蓄冷式または蓄熱式のサニタリールーム空調装置（１）を実現できる。
【００３８】
たとえば、蓄冷式についてさらに説明すると、図３は内部構成の一具体例を概略例示しており、まず、不使用時においては、蓄冷ユニット（１０１）内の蓄冷材に対し、冷却手段としてのアキュムレータ（１０２）およびコンプレッサ（１０３）によって熱エネルギーを充填し、蓄冷が行われる（図中「蓄冷動作○」）。このとき発生する熱は放熱器（１０４）から排気ファン（１０５）（排熱ファンとも呼ぶ）により放熱され（図中「排熱ファン○」）、たとえば上記図１における排熱口（９）からルーム外へ排熱される。一方、使用時においては、送風ファン（１０６）（冷風ファンとも呼ぶ）のみを動作させて蓄冷ユニット（１０１）を通してサニタリールーム内へ送風することで（図中「冷風ファン○」）、すぐ冷風を得ることができ、立ち上がり即効性に優れ、動作音も抑制された冷房が行われる。図中（１０７）はキャピラリである。蓄熱式については、たとえば蓄冷ユニット（１０１）を蓄熱ユニットにしたりすればよい。
【００３９】
この出願の発明は以上の実施形態に限定されるものではなく、細部については様々な態様が可能であることは言うまでもない。
【産業上の利用可能性】
【００４０】
以上詳しく説明した通り、この出願の発明によって、使用時の熱エネルギーのさらなる有効利用が可能で、利用価値を一層向上させたサニタリールーム空調装置が提供される。
【図面の簡単な説明】
【００４１】
【図１】この出願の発明の一実施形態について説明するための図である。
【図２】この出願の発明の別の一実施形態について説明するための図である。
【図３】蓄冷式のサニタリールーム空調装置の内部構成の一具体例について説明するための図である。
【符号の説明】
【００４２】
１  サニタリールーム空調装置
２  蓄冷蓄熱部
２０ａ  Ａ室側冷温風口
２０ｂ  Ｂ室側冷温風口
２１  蓄冷部
２２  蓄熱部
３  送風ファン
４  収納部
４１  冷蔵収納部
４１ａ  Ａ室側取出口
４１ｂ  Ｂ室側取出口
４２  温蔵収納部
４２ａ  Ａ室側取出口
４２ｂ  Ｂ室側取出口
５  切換弁
６  熱交換部
７  吸気口
８  排熱ファン
９  排熱口
１０  隔壁
１１  切換スイッチ
１０１  蓄冷ユニット
１０２  アキュムレータ
１０３  コンプレッサ
１０４  放熱器
１０５  排気ファン
１０６  送風ファン
１０７  キャピラリ
【図１】
2005180854.tif 000003
【図２】
2005180854.tif 000004
【図３】
2005180854.tif 000005
【手続補正書】
【提出日】平成15年12月22日(2003.12.22)
【手続補正１】
【補正対象書類名】明細書
【補正対象項目名】全文
【補正方法】変更
【補正の内容】
【発明の詳細な説明】
【技術分野】
【０００１】
この出願の発明は、浴室、トイレ、洗面所、脱衣室等のサニタリールーム内の冷暖房を行うクーラーなどとして有用な、サニタリールーム空調装置に関するものである。
【背景技術】
【０００２】
従来、サニタリールーム空調装置としては、サニタリールーム全体の空調を行うものと、サニタリールーム内にて人体にスポット的に風を吹きつけるもの（たとえば特許文献１参照）とが知られている。
【０００３】
前者については、室温検知して設定温度に維持することで快適な空間を提供するものである。後者については、温度制御は行わず、空調能力に応じて空調空気を直接人体に浴びせることで空調感を与えようとするもので、たとえば冷房時には冷風を人体に浴びせて涼感を与えさせ、暖房時には温風を人体に浴びせて暖感を与える。
【０００４】
これらいずれの空調装置においても、コンプレッサーを用いて熱交換を行う方式がしばしば採用されている。
【特許文献１】特開２００１−３０４６５４号公報
【発明の開示】
【発明が解決しようとする課題】
【０００５】
しかしながら、上記サニタリールーム空調装置では、使用時つまり空調時にコンプレッサーを稼動するため、立ち上がりに時間がかかるといった問題や、騒音振動の面でも問題があった。
【０００６】
また、使用時に熱交換を行うため、そのときに得た熱エネルギーを全て使うことで最大の空調能力を出すようになっており、他の用途へのエネルギーの転用については考慮されておらず、専ら空調装置として使用されるだけであるので、実際にサニタリールーム内で使用される時間、頻度を考えると、利用価値はあまり高いとはいえないのが現状であった。
【０００７】
そこで、以上のとおりの事情に鑑み、この出願の発明は、使用時の熱エネルギーのさらなる有効利用が可能で、利用価値を一層向上させたサニタリールーム空調装置を提供することを課題としている。
【課題を解決するための手段】
【０００８】
この出願の発明は、上記の課題を解決するものとして、第１には、蓄冷蓄熱式のサニタリールーム空調装置であって、不使用時に熱エネルギーが充填され、使用時に送風ファンからの風を通して冷風温風とする蓄冷蓄熱部を有しており、且つ、この蓄冷蓄熱部から放出する熱エネルギーによって冷蔵温蔵可能な収納部を有していることを特徴とするサニタリールーム空調装置を提供する。
【０００９】
第２には、隣り合うサニタリールーム間の隔壁に設置され、前記使用時に両方のサニタリールームへ冷風温風を送風可能となっていることを特徴とする前記サニタリールーム空調装置を提供する。
【００１０】
第３には、隣り合うサニタリールーム間の隔壁に設置され、前記冷蔵温蔵可能な収納部が両方のサニタリールームから使用可能となっていることを特徴とする前記サニタリールーム空調装置を提供する。
【００１１】
第４には、冷房および暖房の切換えスイッチが設けられていることを特徴とする前記サニタリールーム空調装置を提供する。
【００１２】
第５には、蓄冷式のサニタリールーム空調装置であって、不使用時に熱エネルギーが充填され、使用時に送風ファンからの風を通して冷風とする蓄冷部を有しており、且つ、この蓄冷部から放出する熱エネルギーによって冷蔵可能な収納部を有していることを特徴とするサニタリールーム空調装置を提供する。
【００１３】
第６には、隣り合うサニタリールーム間の隔壁に設置され、前記使用時に両方のサニタリールームへ冷風を送風可能となっていることを特徴とする前記サニタリールーム空調装置を提供する。
【００１４】
第７には、隣り合うサニタリールーム間の隔壁に設置され、前記冷蔵可能な収納部が両方のサニタリールームから使用可能となっていることを特徴とする前記サニタリールーム空調装置を提供する。
【００１５】
第８には、蓄熱式のサニタリールーム空調装置であって、不使用時に熱エネルギーが充填され、使用時に送風ファンからの風を通して温風とする蓄熱部を有しており、且つ、この蓄熱部から放出する熱エネルギーによって温蔵可能な収納部を有していることを特徴とするサニタリールーム空調装置を提供する。
【００１６】
第９には、隣り合うサニタリールーム間の隔壁に設置され、前記使用時に両方のサニタリールームへ温風を送風可能となっていることを特徴とする前記サニタリールーム空調装置を提供する。
【００１７】
第１０には、隣り合うサニタリールーム間の隔壁に設置され、前記温蔵可能な収納部が両方のサニタリールームから使用可能となっていることを特徴とする前記サニタリールーム空調装置を提供する。
【発明の効果】
【００１８】
上記第１のサニタリールーム空調装置によれば、蓄冷蓄熱式であって且つ送風ファンのみの動作で冷暖房空気を得ることができるため、立ち上がり即効性に優れ、動作音も抑制された冷暖房空調を実現でき、そしてさらに、蓄冷蓄熱部に蓄えられた熱エネルギーを利用して冷温蔵可能な収納部を併設することができるため、熱エネルギーのさらなる有効利用を実現し、高い利用価値を付与できる。
【００１９】
上記第２のサニタリールーム空調装置によれば、上記第１の空調装置と同様な効果が得られ、また、隔壁を挟んで両側のサニタリールームにて冷温風を得ることができ、より高い利用価値を実現できる。
【００２０】
上記第３のサニタリールーム空調装置によれば、上記第１および第２の装置と同様な効果が得られ、また、隔壁を挟んで両側のサニタリールームにて冷温蔵庫としての収納部を確保でき、さらに一層高い利用価値を実現できる。
【００２１】
上記第４のサニタリールーム空調装置によれば、上記第１〜第３の空調装置と同様な効果が得られ、またさらに、冷暖房をサニタリールーム使用者が簡単に切り換えられるようになり、利便性を向上できる。
【００２２】
上記第５〜第７のサニタリールーム空調装置によれば、上記第１〜第３の空調装置と同様な効果が得られる蓄冷式のサニタリールーム空調装置を実現することができる。
【００２３】
上記第８〜第１０のサニタリールーム空調装置によれば、上記第１〜第３の空調装置と同様な効果が得られる蓄熱式のサニタリールーム空調装置を実現することができる。
【発明を実施するための最良の形態】
【００２４】
図１は、上述したとおりの特徴を有するこの出願の発明の一実施形態を示したものである。
【００２５】
この図１の実施形態では、サニタリールーム空調装置（１）は、蓄冷蓄熱式つまり蓄冷および蓄熱の複合式のものであり、不使用時に熱エネルギーが充填され、使用時に送風ファン（３）からの風を通して冷風温風とする蓄冷蓄熱部（２）を有しており、そしてさらに、蓄冷蓄熱部（２）から放出する熱エネルギーによって冷蔵温蔵可能な収納部（４）をも有している。
【００２６】
より具体的には、まず、蓄冷蓄熱部（２）は蓄冷部（２１）および蓄熱部（２２）に分けて構成されており、冷暖房空調を行わない不使用時には、それぞれに対して必要な熱エネルギーを熱交換部（６）により充填し、冷暖房空調を行う使用時には、送風ファン（３）のみを動作させ、発生する風を蓄冷部（２１）を通すことで冷風、または蓄熱部（２２）を通すことで温風にして、吹出し口（図示なし）からサニタリールーム内へ吹き出させる。図中の（７）は吸気口、（８）は排熱ファン、（９）は排熱口であり、熱交換部（６）による熱交換時などに使用され、たとえば排熱は天井や床下に排出される。
【００２７】
続いて、収納部（４）については、上記蓄冷部（２１）に近接された冷蔵収納部（４１）および上記蓄熱部（２２）に近接された温蔵収納部（４２）に分けられており、それぞれ、蓄冷部（２１）および蓄熱部（２２）に蓄えられた熱エネルギーによって庫内が冷やされまたは暖められて冷蔵庫および温蔵庫として機能するようになっている。
【００２８】
以上のサニタリールーム空調装置（１）によれば、蓄冷蓄熱式であって且つ送風ファン（３）のみの動作で冷暖房空気が得られるため、立ち上がり即効性に優れ、動作音も抑制された冷暖房を実現することができる。この冷暖房はサニタリールーム内のスポット的使用に対して特に効果的であるといえる。そして、蓄冷蓄熱部（２）に蓄えられた熱エネルギーを、冷暖房空調のためだけでなく、冷温蔵庫としての収納部（４）にも利用できるため、装置全体の利用価値をより向上させることができる。
【００２９】
上記冷暖房空調の冷房／暖房切換えについては、たとえば、送風ファン（３）と蓄冷蓄熱部（２）の開口部（図示なし）との間に断熱性を有する切換弁（５）を設け、この切換弁（５）を操作することで、冷風が欲しい場合には蓄熱部（２２）の開口部またはそれへの風路を遮蔽して、送風ファン（３）からの送風を蓄冷部（２１）へ導き、温風が欲しい場合には蓄冷部（２１）の開口部またはそれへの風路を遮蔽して、送風を蓄熱部（２２）へ導くようにすればよい。もちろん切換弁（５）は、たとえば切換スイッチ（後述の図２における切換スイッチ（１１）参照）を適宜箇所に設けておくことで、サニタリールーム使用者によるスイッチ操作で簡単に切り換えることができ、よって冷風／温風の切換えつまり冷暖房の切換えを簡単に行うことができる。
【００３０】
なお、たとえば、風路の切換えは、ダンパー等の電磁機構によるもの、手動による弁機構によるものなども考慮でき、冷暖房の切換えは、コンプレッサー式であれば熱交換サイクルの正転反転により行うことができ、ペルチェ式であればペルチェ素子の放熱面および吸熱面を蓄熱材に熱的に結合させることで同時に実施できる。それぞれには温度検知センサが搭載され、庫内の温度、風温を測定することで、設定温度となるようにフィードバック制御を行うようにしてもよい。
【００３１】
また、たとえばペルチェ式の場合では、蓄冷および蓄熱が同時に可能となり、過剰に温度差を生じた際には適宜装置外大気への開放により温度調整することによって、必要に応じた温度で物を保存できる収納部（４）を実現できる。
【００３２】
ところで、以上のサニタリールーム空調装置（１）については、たとえば図２に例示したように、隣り合うサニタリールーム間の隔壁（１０）に設置され、上記空調使用時に両方のサニタリールームへ冷風温風を送風可能とした実施形態も採用できる。
【００３３】
より具体的には、図２の実施形態では、上述したとおりの蓄冷蓄熱部（２）（図１参照）を通る送風の吹出し口を、サニタリールーム空調装置（１）本体の両面に配設している。図中、Ａ室側冷温風口（２０ａ）およびＢ室側冷温風口（２０ｂ）が各部屋の吹出し口であり、各部屋の使用者へ冷温風を当てて涼感／暖感を与えることのできるスポット冷暖房用の吹出し口としても機能する。
【００３４】
これによれば、隔壁（１０）を挟んで両方のサニタリールーム、たとえば一方がトイレルーム、他方がそれに隣接した洗面室・脱衣室など、に対して冷温風を得ることができ、一つのサニタリールームのみに対応した空調装置と比べてより高い利用価値を与えることができる。冷風および温風の切換えは、隔壁（１０）の両面つまり双方のサニタリールームの壁面における適宜位置に設置した切換スイッチ（１１）（図中Ａ室側のみ図示）により行える。
【００３５】
またさらに、上記収納部（４）についても、隔壁（１０）を間にして隣接する両方のサニタリールームから使用可能なものとした実施形態も可能である。
【００３６】
より具体的には、図２の実施形態では、上述したとおりの冷蔵収納部（４１）および温蔵収納部（４２）それぞれの取出口を、サニタリールーム空調装置（１）本体の両面に配設している。図中、Ａ室側取出口（４１ａ）およびＢ室側取出口（４１ｂ）が各部屋からの冷蔵収納部（４１）の取出口、Ａ室側取出口（４２ａ）およびＢ室側取出口（４２ｂ）が各部屋からの温蔵収納部（４２）の取出口である。
【００３７】
これによれば、隔壁（１０）を挟んで両方のサニタリールームにて利用可能な冷蔵庫および温蔵庫を確保でき、さらに一層高い利用価値を与えることができる。両部屋からの冷暖房および冷温蔵の共有が可能となるのである。
【００３８】
もちろん、以上のとおりのサニタリールーム空調装置（１）は、蓄冷式の冷房空調のみまたは蓄熱式の暖房空調のみを行うものとすることも可能であり、蓄冷蓄熱式と同様に、収納部を設けたり、隣接サニタリールームの双方を対象としたりすることで、熱エネルギーの有効活用による高い利用価値を持つ蓄冷式または蓄熱式のサニタリールーム空調装置（１）を実現できる。
【００３９】
たとえば、蓄冷式についてさらに説明すると、図３は内部構成の一具体例を概略例示しており、まず、不使用時においては、蓄冷ユニット（１０１）内の蓄冷材に対し、冷却手段としてのアキュムレータ（１０２）およびコンプレッサ（１０３）によって熱エネルギーを充填し、蓄冷が行われる（図中「蓄冷動作○」）。このとき発生する熱は放熱器（１０４）から排気ファン（１０５）（排熱ファンとも呼ぶ）により放熱され（図中「排熱ファン○」）、たとえば上記図１における排熱口（９）からルーム外へ排熱される。一方、使用時においては、送風ファン（１０６）（冷風ファンとも呼ぶ）のみを動作させて蓄冷ユニット（１０１）を通してサニタリールーム内へ送風することで（図中「冷風ファン○」）、すぐ冷風を得ることができ、立ち上がり即効性に優れ、動作音も抑制された冷房が行われる。図中（１０７）はキャピラリである。蓄熱式については、たとえば蓄冷ユニット（１０１）を蓄熱ユニットにしたりすればよい。
【００４０】
この出願の発明は以上の実施形態に限定されるものではなく、細部については様々な態様が可能であることは言うまでもない。
【産業上の利用可能性】
【００４１】
以上詳しく説明した通り、この出願の発明によって、使用時の熱エネルギーのさらなる有効利用が可能で、利用価値を一層向上させたサニタリールーム空調装置が提供される。
【図面の簡単な説明】
【００４２】
【図１】この出願の発明の一実施形態について説明するための図である。
【図２】この出願の発明の別の一実施形態について説明するための図である。
【図３】蓄冷式のサニタリールーム空調装置の内部構成の一具体例について説明するための図である。
【符号の説明】
【００４３】
１  サニタリールーム空調装置
２  蓄冷蓄熱部
２０ａ  Ａ室側冷温風口
２０ｂ  Ｂ室側冷温風口
２１  蓄冷部
２２  蓄熱部
３  送風ファン
４  収納部
４１  冷蔵収納部
４１ａ  Ａ室側取出口
４１ｂ  Ｂ室側取出口
４２  温蔵収納部
４２ａ  Ａ室側取出口
４２ｂ  Ｂ室側取出口
５  切換弁
６  熱交換部
７  吸気口
８  排熱ファン
９  排熱口
１０  隔壁
１１  切換スイッチ
１０１  蓄冷ユニット
１０２  アキュムレータ
１０３  コンプレッサ
１０４  放熱器
１０５  排気ファン
１０６  送風ファン
１０７  キャピラリ